(57)【要約】【課題】  本考案は、１回に２錠服用する医療用医薬品（たとえば、ウラリット錠（登録商標））において、一押しで１回分２錠が容易に放出されるＰＴＰ包装用容器を提供することにある。【解決手段】  本考案は、片面に複数のポケット部２を有する容器部１と該ポケット部２の開口部を閉塞するための台紙部４とからなる包装用容器（ＰＴＰ）において、錠剤３が２個横向きに収納されるように各ポケット部が形成されていることを特徴とする一押し２錠放出用の包装用容器に関する。【選択図】    図１
0003127941.tif 000002
【実用新案登録請求の範囲】
【請求項１】
片面に複数のポケット部２を有する容器部１と該ポケット部２の開口部を閉塞するた
めの台紙部４とからなる包装用容器（ＰＴＰ）において、錠剤２個が横向き収納され
るように各ポケット部が形成されていることを特徴とする一押し２錠放出用の包装用容器。
【請求項２】
ポケット部２の形状において、
ａ）ポケット部２の開口部の短径が錠剤１個の幅に合わせた大きさであり、
ｂ）ポケット部２の長径が錠剤２個の幅に合わせた大きさであり、
ｃ）ポケット部２の深さが錠剤１個の厚みに合わせた大きさであることを特徴とする
請求項１記載の包装用容器。
【請求項３】
請求項１又は２のいずれかに記載の包装用容器に錠剤が収納されている医薬品。
【考案の詳細な説明】
【技術分野】
【０００１】
本考案は、錠剤２個を収納し、かつポケット部を押すことで収納されている錠剤２個が容易に放出される包装用容器に関するものである。
【背景技術】
【０００２】
医薬品等の錠剤やカプセル剤はばらばらの状態で瓶の中に収納されているか、又はシート上に形成される１０個程度のポケット部のそれぞれに独立して収納されているのが一般的である。後者の収納方法による包装用容器は、いわゆるＰＴＰ（ＰＲＥＳＳ−ＴＨＲＯＵＧＨ−ＰＡＣＫＡＧＥ）と称されている。該包装用容器は、片面に複数のポケット部を有する容器部と該ポケット部の開口部を閉塞するための台紙部とから構成されている。
ところでウラリット（登録商標）錠は、アシドーシス・酸性尿改善剤として広く使用されている。（非特許文献１）
ウラリット（登録商標）錠は通常成人１回２錠を１日３回経口投与されるが、ＰＴＰの各ポケット部には１個の錠剤が格納されている。
一方、医薬品のＰＴＰシート包装体であって、７日分あるいは１０日分をどちらでも容易に分けられるように、３５錠の錠剤を縦に７個、横に５個配し、それぞれ分割可能なミシン目を配した３５錠ＰＴＰシートは知られている。（特許文献１）
またヘリコバクター・ピロリ除菌用組合せ製剤ランサップ（登録商標）は三剤併用の便宜のため、１シートに３種の薬剤を並べて配している。
また、調剤薬局では、複数の薬剤を分包し患者に提供している。
しかしながら、ＰＴＰのポケット部に２個の錠剤が収納された医薬品の包装用容器は知られていない。
【０００３】
【特許文献１】実用新案登録第３１１１５９２号
【非特許文献１】腎と透析  ２２，３３５頁，１９８７年
【考案の開示】
【考案が解決しようとする課題】
【０００４】
本考案の目的は、１回の服用が２錠に設定されている医療用薬剤について、一押しで
２錠が容易に放出されるように２個の錠剤を収納する新規な包装用容器、又は、錠剤が収納されている包装用容器を提供することにある。
【課題を解決するための手段】
【０００５】
本考案者らは、上記の目的を達成するため、鋭意検討を行った結果、上記課題を達成し得る一押しで１回分２錠が容易に放出される包装用容器（Ｏｎｅ  ｐｕｓｈ  ２ｔａｂｌｅｔｓ  用包装用容器）を考案し、本考案を完成するに至った。
【０００６】
即ち、（１）本考案は片面に複数のポケット部２を有する容器部１と該ポケット部２の開口部を閉塞するための台紙部４とからなる包装用容器（ＰＴＰ）において、錠剤２個が横向きに収納されるように各ポケット部が形成されていることを特徴とする一押し２錠放出用の包装用容器に関する。
また、（２）本考案は、ポケット部２の形状において、
ａ）ポケット部２の開口部の短径が錠剤１個に合わせた大きさであり、
ｂ）ポケット部２の長径が錠剤２個の幅に合わせた大きさであり、
ｃ）ポケット部２の深さが錠剤１個の厚みに合わせた大きさであることを特徴とする、上記（１）記載の包装用容器に関する。
さらにまた、（３）本考案は、上記（１）又は（２）のいずれかに記載の包装用容器に錠剤が収納されている医薬品に関する。
【考案を実施するための最良の形態】
【０００７】
次に本考案を更に詳細に説明する。
本考案において、ポケット部２の開口部の短径とは、該ポケット部２の開口部の直交する二つの径のうち短い方の径をいう。ポケット部２の開口部の長径とは、該ポケット部２の開口部の直交する長い方の径をいう。ポケット部２の深さとは、開口面に対して垂直方向に該ポケット部２の頂点までの長さをいう。
本考案において、ポケット部２の長径を錠剤間の隙間が大きくなるよう（３ｍｍ以上）に設定すると一押しで２錠出すことは困難となり、また狭すぎると自動化に適さなくなり、隙間が１〜２ｍｍになるように設定すると２錠同時に押し出すことが容易になる。
本考案におけるポケット部２の数は、図１の縦３列６個である必要はなく、６個より多くても少なくてもよい。
また、ポケット部２は、台紙上４の上に縦３列で存在する必要はないが、３列で存在するものが好ましい。
本考案における収納容器の適用には、錠剤が好ましいが、カプセル剤等も含み得る。
【０００８】
本考案によれば、従来の包装用容器よりも一定のシート上のスペース内に多数の錠剤を
収納することができる。
また、従来と同じ数の錠剤を収納する場合、台紙部４として一般に使用されるアルミ箔の使用を低減することができ、低コストでＰＴＰに収納された医薬品を製造することができ、コストダウンを図ることができる。さらに、医療上、適正処方を推進し、医療過誤の軽減に利すると思われる。なお、本考案は輸送により内容物の破損はなく（参考例１）、また従来品に比べ低吸湿性である（参考例２）。
【実施例１】
【０００９】
以下図面を参照して本考案の実施例を詳細に説明する。
図１は本考案の一実施例の平面図、図２はその底面図、図３は拡大平面図、図４は拡大側面図、図５は拡大正面図、図６はポケット部を押した時のイメージ図を表す。
本考案に係わる包装用容器の一態様は、片面に複数のポケット部２を有するプラスチック製の容器部１と該ポケット部２の開口部を閉塞するアルミ箔からなる台紙部４とから主に構成されている。また、図１〜図６に示すように、各ポケット部２の形状は、２つの錠剤が横向きに収納されるように形成されている。
【実施例２】
【００１０】
図７は本考案の別の包装用容器の平面図拡大である。
（参考例１）
【００１１】
輸送テスト
段ボールにウラリット（登録商標）錠（各ポケット部に１錠格納している１０錠ＰＴＰシート）の１００錠ピロ包装品１００個と実施例１記載の包装用容器（１２錠シート）の１２０錠ピロ包装品１０個を密封し、茨城→福岡→札幌→茨城のルートで輸送して内容物のチェックを行った。
（結果）
従来のＰＴＰ及び実施例１記載の包装用容器に収納されているウラリット（登録商標）錠は何れもワレ、カケなどの異常はなかった。
（参考例２）
【００１２】
安定性試験
実施例１に記載の包装用容器（２Ｔａｂ  ＰＴＰ）を４０℃、７５％ＲＨ下に保存し、経時的にウラリット（登録商標）錠の重量を測定して、重量変化率（％）を求めた。比較として各ポケット部に１錠格納している１０錠ＰＴＰシート（１０Ｔ  ＰＴＰ）を使用した。
その結果を表１に示す。
【００１３】
【表１】
0003127941.tif 000003
実施例１記載の包装用容器においては、ウラリット（登録商標）錠の吸湿量が少なく、吸湿安定性が向上することが明らかになった。
【図面の簡単な説明】
【００１４】
【図１】本考案に係わる包装用容器の平面図である。
【図２】本考案に係わる包装用容器の底面図である。
【図３】本考案に係わる包装用容器の拡大平面図である。
【図４】本考案に係わる包装用容器の拡大側面図である。
【図５】本考案に係わる包装用容器の拡大正面図である。
【図６】本考案に係わる包装用容器の使用のイメージ図である。
【図７】本考案に係わる別の包装用容器の拡大平面図である。
【符号の説明】
【００１５】
１  容器部
２  ポケット部
３  錠剤
４  台紙部
【図１】
0003127941.tif 000004
【図２】
0003127941.tif 000005
【図３】
0003127941.tif 000006
【図４】
0003127941.tif 000007
【図５】
0003127941.tif 000008
【図６】
0003127941.tif 000009
【図７】
0003127941.tif 000010
【手続補正書】
【提出日】平成18年10月24日(2006.10.24)
【手続補正１】
【補正対象書類名】実用新案登録請求の範囲
【補正対象項目名】全文
【補正方法】変更
【補正の内容】
【実用新案登録請求の範囲】
【請求項１】
片面に複数のポケット部２を有する容器部１と該ポケット部２の開口部を閉塞するための
台紙部４とからなる包装用容器において、錠剤２個が横向き収納されるように各ポケット
部が形成されていることを特徴とする一押し２錠放出用の包装用容器。
【請求項２】
ポケット部２の形状において、
ａ）ポケット部２の開口部の短径が錠剤１個の幅に合わせた大きさであり、
ｂ）ポケット部２の長径が錠剤２個の幅に合わせた大きさであり、
ｃ）ポケット部２の深さが錠剤１個の厚みに合わせた大きさであることを特徴とする
請求項１記載の包装用容器。
【請求項３】
錠剤が収納されている請求項１又は２のいずれかに記載の包装用容器。